(57)【要約】      （修正有）【課題】着脱容易な油飛散防止板を備えたフライヤーを提供する。【解決手段】油槽を備え上部が開口した本体４と、この本体の両側部に前記油槽の両側部上方を覆って着脱可能に装着される一対の油飛散防止板５とを備えたフライヤーであって、前記本体の開口の側縁部には水平フランジ６が連設され、前記各油飛散防止板５には、その下端部を折曲して形成された上部当接片５ａと、この上部当接片を折曲して形成された外側当接片５ｂと、この外側当接片を折曲することにより、前記水平フランジの厚みと略同一の間隔をおいて形成された下部当接片５ｃとが設けられ、前記上部当接片と前記下部当接片との間に前記水平フランジ６を挟み込むことにより、前記油飛散防止板５を前記水平フランジ６に係止する。【選択図】図７
0003211127.tif 000002
【実用新案登録請求の範囲】
【請求項１】
油槽を備え上部が開口した本体と、この本体の両側部に前記油槽の両側部上方を覆って着脱可能に装着される一対の油飛散防止板とを備えたフライヤーであって、前記本体の開口の側縁部には水平フランジが連設され、前記各油飛散防止板には、その下端部を折曲して形成された上部当接片と、この上部当接片を折曲して形成された外側当接片と、この外側当接片を折曲することにより、前記水平フランジの厚みと略同一の間隔をおいて形成された下部当接片とが設けられ、前記上部当接片と前記下部当接片との間に前記水平フランジを挟み込むことにより、前記油飛散防止板を前記水平フランジに係止するように構成されていることを特徴とするフライヤー。
【請求項２】
前記水平フランジの突出端の下部に係止部材が設けられ、前記外側当接片が前記係止部材の一側面に対峙させられ、前記下部当接片が前記係止部材の下面に対峙させられるようになされているとともに、前記下部当接片に、この下部当接片を前記上部当接片へ向けて折曲することによって形成され、前記係止部材に係合される係合片が設けられ、この係合片と前記上部当接片との間に、前記係止部材が挿通される隙間が形成されていることを特徴とする請求項１に記載のフライヤー。
【請求項３】
前記各水平フランジの一端部側に、これらの水平フランジと同一面内で直交する補助フランジが設けられ、前記上部当接片の下部に、前記外側当接片と直交する面に位置する第２の外側当接片が折曲形成され、この第２の外側当接片を折曲することによって、前記補助フランジの厚みと略同一の間隔をおいて形成された第２の下部当接片が設けられ、この第２の下部当接片と前記上部当接片との間に前記補助フランジが挟持されるようになされていることを特徴とする請求項１または請求項２に記載のフライヤー。
【請求項４】
前記本体が、上部が開口され前記水平フランジが設けられた筐体と、この筐体に前記開口を覆うように装着される油槽とによって構成され、この油槽と前記水平フランジとによって、前記油飛散防止板の上部当接片が挟持されていることを特徴とする請求項１ないし請求項３の何れかに記載のフライヤー。
【考案の詳細な説明】
【技術分野】
【０００１】
本考案は揚げ物の調理に用いられるフライヤーに関するものである。
【背景技術】
【０００２】
従来、天ぷら等の揚げ物を調理する際に、たとえば、特許文献１に示されるようなフライヤーが用いられている。
【０００３】
このフライヤーは、上方が開口された油槽に調理用油を貯留し、この調理用油を抵抗発熱体等からなるヒーターやガス等によって所定温度に加熱しておき、この加熱された調理用油に、前処理された材料を前記油槽の開口部から落とし込んで揚げるようにしている。
【先行技術文献】
【特許文献】
【０００４】
【特許文献１】特開２０１７−２３５５０号公報
【考案の概要】
【考案が解決しようとする課題】
【０００５】
ところで、前述した従来のフライヤーにあっては、揚げ処理の際に前記調理用油がはねてフライヤーの周辺に飛散する。
【０００６】
このように調理用油が飛散すると、この飛散した調理用油が前記フライヤーの周辺に付着して、このフライヤーの周辺を汚してしまう。
【０００７】
このような不具合を防止するために、前記油槽の側部に油飛散防止板を立ち上げるように取り付けて、この油飛散防止板によって飛散する油を捕獲することにより、調理用油がフライヤー周辺へ飛散することを防止することも行なわれている。
【０００８】
しかしながら、フライヤーの継続使用に伴って前記油飛散防止板自体の汚れも進むことから、必要な時期にこの油飛散防止板の洗浄が必要となる。
【０００９】
そして、このような油飛散防止板の洗浄作業を簡便にするためには、前記油飛散防止板を取り外して単独で洗浄し、洗浄後に前記油飛散防止板を再装着できるように、前記油飛散防止板を着脱可能な取付構造とすることが望まれ、かつ、その取付構造は、前記油飛散防止板の着脱操作を容易に行なえるものであることが要求されている。
【００１０】
本考案は、前述した従来において要望されている事項を解消し得るフライヤーを提供することを解決すべき課題とする。
【課題を解決するための手段】
【００１１】
本考案のフライヤーは、前述した課題を解決するために、油槽を備え上部が開口した本体と、この本体の両側部に前記油槽の両側部上方を覆って着脱可能に装着される一対の油飛散防止板とを備えたフライヤーであって、前記本体の開口の側縁部には水平フランジが連設され、前記各油飛散防止板には、その下端部を折曲して形成された上部当接片と、この上部当接片を折曲して形成された外側当接片と、この外側当接片を折曲することにより、前記水平フランジの厚みと略同一の間隔をおいて形成された下部当接片とが設けられ、前記上部当接片と前記下部当接片との間に前記水平フランジを挟み込むことにより、前記油飛散防止板を前記水平フランジに係止するように構成されていることを特徴としている。
【００１２】
前記油飛散防止板は、その下部に設けられた前記上部当接片と前記下部当接片との間に前記水平フランジを嵌合させることにより、この水平フランジを介して前記本体に取り付けられる。
【００１３】
これによって、前記油飛散防止板を前記本体に確実に装着することができ、この油飛散防止板によって前記油槽の側部に壁を形成して、前記油槽内の油が前記本体の周辺部へ飛散することを防止することができる。
【００１４】
ここで、前記上部当接片と前記下部当接片の間隔を、前記水平フランジの厚みと略等しくするか若干狭く設定することにより、前記上部当接片と前記下部当接片を前記水平フランジの上下面に圧接させることができる。
これによって、前記油飛散防止板の固定を確実に行なうことができる。
【００１５】
一方、前記油飛散防止板を前記水平フランジの面方向に移動させて、前記上部当接片と前記下部当接片を前記水平フランジから引き離すことにより、前記油飛散防止板を前記本体から取り外すことができる。
【００１６】
また、前記上部当接片と前記下部当接片間に前記水平フランジを対峙させた後に、前記上部当接片と前記下部当接片を前記水平フランジへ向けて、この水平フランジの面方向に移動させることにより、この水平フランジを前記上部当接片と前記下部当接片によって挟み込んで、前記油飛散防止板を前記本体に装着することができる。
【００１７】
このように、前記油飛散防止板は、前記水平フランジの面方向に沿って移動させるといった単純な操作によって、前記本体への着脱を行なうことができる。
【００１８】
したがって、前記油飛散防止板を取り外して洗浄する際に、その着脱操作を簡便に行なうことができる。
【００１９】
また、前記水平フランジの突出端の下部に係止部材を設けておき、前記外側当接片を前記係止部材の一側面に対峙させ、また、前記下部当接片を前記係止部材の下面に対峙させるようにし、さらに、前記下部当接片に、この下部当接片を前記上部当接片へ向けて折曲することによって前記係止部材に係合される係合片を設け、この係合片と前記上部当接片との間に、前記係止部材が挿通される隙間を形成した構成とすることができる。
【００２０】
このような構成とすることにより、前記上部当接片、外側当接片、下部当接片、および、係合片によって形成される空間部内に、前記隙間を通して前記係止部材を挿入した後に、上部当接片を前記水平フランジの上面に、前記外側当接片を前記係止部材の一側面に、また、前記下部当接片を前記係止部材の下面に、さらに、前記係合片を前記係止部材の他側面に、それぞれ対峙させるように、前記油飛散防止板を回動させることにより、この油飛散防止板を前記水平フランジに固定することができる。
【００２１】
ここで、前記上部当接片、外側当接片、下部当接片、および、係合片によって前記係止部材が包み込まれ、かつ、前記上部当接片、外側当接片、下部当接片、および、係合片が、前記係止部材に接触させられる。
これによって、前記油飛散防止板の下部が前記水平フランジへ確実に固定される。
【００２２】
また、前記各水平フランジの一端部側に、これらの水平フランジと同一面内で直交する補助フランジを設け、前記上部当接片の下部に、前記外側当接片と直交する面に位置する第２の外側当接片を折曲形成し、この第２の外側当接片を折曲することによって、前記補助フランジの厚みと略同一の間隔をおいて形成された第２の下部当接片を設け、この第２の下部当接片と前記上部当接片との間に前記補助フランジを挟持するようにしてもよい。
【００２３】
このような構成とすることにより、前記油飛散防止板の下端部を、直交する前記水平フランジと前記補助フランジへ係合させることができる。
【００２４】
これによって、前記油飛散防止板の動きを、その面方向とこの面方向と直交する面方向の２方向で拘束して、この油飛散防止板の不要な動きを抑制することができる。
【００２５】
さらに、前記本体を、上部が開口され前記水平フランジが設けられた筐体と、この筐体に前記開口を覆うように装着される油槽とによって構成し、この油槽と前記水平フランジとによって、前記油飛散防止板の上部当接片を挟持する構成とすることもできる。
【００２６】
このような構成とすることにより、前記油槽と前記水平フランジとによって前記油飛散防止板の前記上部当接片を挟み込んで、この油飛散防止板の不要な動きを拘束することができる。
【考案の効果】
【００２７】
本考案のフライヤーによれば、前記油飛散防止板によって調理時の調理用油の飛散を防止して、フライヤー周辺の汚染を防止することができ、また、前記油飛散防止板の着脱を、前記油飛散防止板を前記フライヤーに設けられた水平フランジの面方向への移動といった単純な操作によって簡便に行なうことができる。
【図面の簡単な説明】
【００２８】
【図１】本考案の実施形態１を示すもので、フライヤーの斜視図である。
【図２】本考案の実施形態１を示すもので、フライヤーの分解斜視図である。
【図３】本考案の実施形態１を示すもので、一方の油飛散防止板の斜視図である。
【図４】本考案の実施形態１を示すもので、図３におけるＩＶ矢視図である。
【図５】本考案の実施形態１を示すもので、他方の油飛散防止板の斜視図である。
【図６】本考案の実施形態１を示すもので、図５におけるＶＩ矢視図である。
【図７】本考案の実施形態１を示すもので、油飛散防止板の取付手順を示す斜視図である。
【図８】本考案の実施形態１を示すもので、油飛散防止板の取付手順を示す斜視図である。
【図９】本考案の実施形態１を示すもので、一対の油飛散防止板を装着した状態を示す斜視図である。
【図１０】本考案の実施形態２を示すもので、油飛散防止板の取付手順を示す縦断面図である。
【図１１】本考案の実施形態２を示すもので、油飛散防止板の取付手順を示す縦断面図である。
【図１２】本考案の実施形態２を示すもので、油飛散防止板の取付手順を示す縦断面図である。
【図１３】本考案の実施形態２を示すもので、油飛散防止板の取付手順を示す縦断面図である。
【図１４】本考案の実施形態３を示すもので、油飛散防止板の取付手順を示す縦断面図である。
【図１５】本考案の実施形態３を示すもので、油飛散防止板の取付手順を示す縦断面図である。
【考案を実施するための形態】
【００２９】
以下、本考案の実施形態１を図１ないし図９を参照して説明する。
図１において、符号１は、本実施形態のフライヤーを示す。
このフライヤー１は、上部が開口された箱状の筐体２と、この筐体２に、その開口を覆うようにして装着された油槽３を備えた本体４と、この本体４の両側部に前記油槽３の両側部上方を覆って着脱可能に装着される一対の油飛散防止板５とを備えている。
【００３０】
前記筐体２の開口の対向する内側縁部のそれぞれには、図２に示すように、前記開口の内側へ向かう水平フランジ６が連設されている。
【００３１】
前記各油飛散防止板５には、図３ないし図６に示すように、その下端部を折曲して形成された上部当接片５ａと、この上部当接片５ａを折曲して形成された外側当接片５ｂと、この外側当接片５ｂを折曲することにより、前記水平フランジ６の厚みと略同一の間隔をおき、かつ、前記上部当接片５ａと略平行に形成された下部当接片５ｃとが設けられている。
【００３２】
前記各水平フランジ６の一端部側には、図２に示すように、これらの水平フランジ６と同一面内で直交する補助フランジ７が設けられ、前記油飛散防止板５の前記上部当接片５ａの下部には、前記外側当接片５ｂと直交する面に位置する第２の外側当接片５ｄが折曲形成され、この第２の外側当接片５ｄを折曲することによって、前記補助フランジ７の厚みと略同一の間隔をおき、かつ、前記上部当接片５ａと略平行に形成された第２の下部当接片５ｅが設けられている。
【００３３】
さらに、前記筐体２の、前記補助フランジ７が設けられた部位には、一対のステー８が設けられおり、これらのステー８間に、前記油槽３内の調理用油を加熱する加熱ユニット９が装着されている。
【００３４】
前記加熱ユニット９は、前記油槽３内に挿入されるパンチングプレート１０と、このパンチングプレート１０の下方に配置されたヒーター１１と、このヒーター１１の温度制御を行なう制御機器が組み込まれたコントロールボックス１２とを備えている。
【００３５】
そして、前記加熱ユニット９は、前記コントロールボックス１２に突設された複数の係合ピン１３を、前記ステー８に形成されている係止溝８ａに嵌合させることによって前記筐体２に固定されるようになっている。
【００３６】
また、前記油槽３の、前記コントロールボックス１２と対向する位置には、揚げ物を緩やかに前記油槽３内へ落とし込むためのスライド板１４が掛け止めされ、さらに、前記コントロールボックス１２には、揚げ物が載せられてその油切りを行なう油落とし１５が、前記油槽３の上方に位置するように掛け止めされている。
【００３７】
このように構成された本実施形態のフライヤー１を組み上げるには、まず、図７に矢印で示すように、前記油飛散防止板５を、その下部に設けられた前記上部当接片５ａと前記下部当接片５ｃとの間に前記水平フランジ６を入れ込むように前記筐体２に押し込む。
【００３８】
ついで、前記油飛散防止板５を前記補助フランジ７へ向けて移動させて、この補助フランジ７を、図８に矢印で示すように、前記油飛散防止板５の前記上部当接片５ａと前記第２の下部当接片５ｅとの間に入れ込むように移動させる。
【００３９】
これによって、前記油飛散防止板５が、直交する前記水平フランジ６とこの水平フランジ６と直交して設けられた前記補助フランジ７に止着される。
この操作を一対の油飛散防止板５について行なうことにより、図８に示すように、前記筐体２の開口の一対の側縁部のそれぞれに、前記油飛散防止板５を止着する。
【００４０】
ついで、前記油槽３を前記筐体２内に、その開口を覆うようにして挿入し、この油槽３の周縁部を前記油飛散防止板５の上部当接片５ａ上に掛け止めする。
これによって、前記各油飛散防止板５が、前記水平フランジ６および前記補助フランジ７と前記油槽３とによって挟み込まれる。
【００４１】
ついで、前記加熱ユニット９のコントロールボックス１２を、このコントロールボックス１２に設けられている前記係合ピン１３を前記筐体２に設けられている前記一対のステー８の係止溝８ａに嵌合させることによって、前記加熱ユニット９を前記筐体２に取り付ける。
【００４２】
このように前記加熱ユニット９を前記筐体２に取り付けた状態において、前記パンチングプレート１０および前記ヒーター１１が、前記油槽３の底部に位置させられる。
【００４３】
さらに、前記油槽３に前記スライド板１４を掛け止めし、前記コントロールボックス１２に前記油落とし１５を掛け止めすることによって、本実施形態のフライヤー１が組み上げられる。
【００４４】
このようにして組み上げられたフライヤー１によって揚げ物を処理すると、その処理の際に飛散する油は、前記両油飛散防止板５によって捕獲されて、周辺への飛散が防止される。
【００４５】
そして、前記油飛散防止板５を洗浄する際には、前述した組み立て手順と逆の手順により、前記油飛散防止板５を取り外すことができる。
【００４６】
そして、前述した前記油飛散防止板５の着脱を、前記油飛散防止板５を前記水平フランジ６や前記補助フランジ７の面方向に沿って移動させることによって行なうことができるので、簡便な操作で着脱することができる。
【００４７】
また、前記油飛散防止板５の固定に、ねじやビスといった固定部材を用いる必要がなく、この点からも構造を簡素化してその着脱操作を簡便な物とすることができる。
【００４８】
また、前記筐体２と前記油飛散防止板５との接続が、全て面接触によって行なわれていることにより、この接続部に油が浸入した場合にあっても、その除去が容易である。
【００４９】
図１０ないし図１３は、本考案の実施形態２を示す。
本実施形態では、前記水平フランジ６の突出端の下部に断面略矩形状の係止部材２０を設け、前記油飛散防止板５の下部に、前記係止部材２０の一側面に対峙させられる外側当接片５ｂと、前記係止部材２０の下面に対峙させられる下部当接片５ｃと、この下部当接片５ｃを前記上部当接片５ａへ向けて折曲することによって形成され、係止部材２０と係合する係合片５ｆを設け、この係合片５ｆと前記上部当接片５ａとの間に、前記係止部材２０が挿通される隙間ｇを形成した構成としている。
【００５０】
そして、前記上部当接片５ａ、外側当接片５ｂ、下部当接片５ｃ、および、係合片５ｆによって形成される空間部内に、図１２に示すように、前記隙間ｇを通して前記係止部材２０を挿入した後に、図１２に矢印で示すように、前記上部当接片５ａを前記水平フランジ６の上面に、前記外側当接片５ｂを前記係止部材２０の一側面に、また、前記下部当接片５ｃを前記係止部材２０の下面に、さらに、前記係合片５ｆを前記係止部材２０の他側面に、それぞれ対峙させるように、これらの当接片を弾性変形させつつ前記油飛散防止板５を回動させることにより、この油飛散防止板５を前記水平フランジ６に固定することができる。
【００５１】
ここで、前記上部当接片５ａ、外側当接片５ｂ、下部当接片５ｃ、および、係合片５ｆによって前記係止部材２０が包み込まれ、かつ、前記上部当接片５ａ、外側当接片５ｂ、下部当接片５ｃ、および、係合片５ｆが、矩形状の前記係止部材２０の各面に面接触させられる。
これによって、前記油飛散防止板５が前記水平フランジ６へ確実に固定される。
なお、本実施形態の係合片５ｆは、係止部材２０の一側面に相対する他側面に対峙させられるため、外側当接片５ｂに対向した内側当接片ということができる。
【００５２】
そして、前記油飛散防止板５を取り外しは、前記油飛散防止板５を前述した取付手順の回転と逆の回転によって行なうことができる。
したがって、本実施形態においても、前記油飛散防止板５の着脱を、前記係止部材２０回りに回動させるといった単純な作業によって行なうことができる。
【００５３】
図１４及び図１５は、本考案の実施形態３を示す。
本実施形態は、前記係止部材２０が、前記上部当接片５ａ、外側当接片５ｂ、下部当接片５ｃ、および、係合片５ｆによって包み込まれるように係合される点で先の実施形態２と同じであるが、下部当接片５ｃおよび係合片５ｆの形状が異なっている。
【００５４】
即ち、本実施形態は前記水平フランジ６の突出端の下部に、係止部材２０が設けられ、前記外側当接片５ｂが前記係止部材２０の一側面に対峙させられ、前記下部当接片５ｃが前記係止部材２０の下面に対峙させられるようになされているとともに、前記下部当接片５ｃに、この下部当接片５ｃを前記上部当接片５ａへ向けて折曲することによって形成され、前記係止部材２０に係合される係合片５ｆが設けられ、この係合片５ｆと前記上部当接片５ａとの間に、前記係止部材が挿通される隙間ｇが形成されている。
【００５５】
本実施形態の下部当接片５ｃは、前記係止部材２０の端部（下端部）を覆うように湾曲して形成され、前記係合片５ｆは、前記下部当接片５ｃから前記上部当接片５ａに向かって傾斜するように形成されている。そして、この係合片５ｆと前記上部当接片５ａとの間には、前記係止部材２０が挿通される隙間ｇが形成されている。その結果、前記係合片５ｆと前記外側当接片５ｂとが、図１４及び図１５における縦断面視で略「Ｖ」字状に形成された構成となっている。
【００５６】
このような構成とすることにより、前記外側当接片５ｂを一度折曲することで、前記下部当接片５ｃと前記係合片５ｆとを同時に形成することができ、製造工程を簡略化することができる。
【符号の説明】
【００５７】
１  フライヤー
２  筐体
３  油槽
４  本体
５  油飛散防止板
５ａ  上部当接片
５ｂ  外側当接片
５ｃ  下部当接片
５ｄ  第２の外側当接片
５ｅ  第２の下部当接片
５ｆ  係合片
６  水平フランジ
７  補助フランジ
８  ステー
８ａ  係止溝
９  加熱ユニット
１０パンチングプレート
１１  ヒーター
１２  コントロールボックス
１３  係合ピン
１４  スライド板
１５  油落とし
２０  係止部材
【図１】
0003211127.tif 000003
【図２】
0003211127.tif 000004
【図３】
0003211127.tif 000005
【図４】
0003211127.tif 000006
【図５】
0003211127.tif 000007
【図６】
0003211127.tif 000008
【図７】
0003211127.tif 000009
【図８】
0003211127.tif 000010
【図９】
0003211127.tif 000011
【図１０】
0003211127.tif 000012
【図１１】
0003211127.tif 000013
【図１２】
0003211127.tif 000014
【図１３】
0003211127.tif 000015
【図１４】
0003211127.tif 000016
【図１５】
0003211127.tif 000017